(57)【要約】      （修正有）【課題】オニヤンマのヤゴが高い確率で羽化するための、羽化用水槽を提供する。【解決手段】水槽内に水槽１の略中心部に、網目状の板４を立てて設置することで、水槽１内を分割するように仕切り、一方の水槽内には、網目状の板４の高さと同じ高さとなるように砂２を入れ、砂を入れた面の中心部に木の枝５等の棒を立てる。仕切られたもう一方の水槽内には、網目状の板側から緩やかな傾斜を形成するように砂を入れ、水槽内に水を入れ、かつ、網目状の板を利用して陸地を形成する。【選択図】図１
0003159975.tif 000002
【実用新案登録請求の範囲】
【請求項１】
水槽内の略中心部に網目状の板を立てて設置し、仕切られた一方の水槽内に、網目状の板の高さと同じ高さとなるように砂を入れ、砂を入れた上面の中心部に木の枝を立て、網目状の板４で仕切ったもう一方の水槽内に、水面より低い高さに砂を入れ、水槽内に水を入れるたことを特徴とするオニヤンマの羽化用水槽。
【考案の詳細な説明】
【技術分野】
【０００１】
本発明は、確実に羽化させるためのオニヤンマの羽化用水槽に関する。
【背景技術】
【０００２】
従来、オニヤンマのヤゴを捕獲し、飼育する際の水槽は、図７に示すように水槽に水を入れ、羽化する際に水中から地上へ移動するための棒を立てるのが一般的な方法である。これは、トンボが羽化する際に、木や植物等に登り、そこで羽化が始まることが一般的に知られていることによるものである。しかしながら、この方法では上手く羽化できずに、最悪の場合ヤゴの命が失われることがしばしば起きており、その原因も解明されていないのが実情である。
【０００３】
特開平７−１４３８３２号においては、イトトンボ類の屋内飼育法とその飼育容器について、飼料の種類や円筒状の容器の中心部に棒を立設し、蓋体で上下に部屋を区切る構造について記載されているが、オニヤンマの羽化にその飼育容器をそのまま利用することはできない。
【０００４】
前述の方法は、イトトンボ類には有効的な手段ではあると考えられるが、オニヤンマにはその飼育容器の構造が、図７の従来の飼育方法の構造と同様であり効果が期待できず、うまく飼育できていないことが推察できる。
【先行技術文献】
【特許文献】
【０００５】
【特許文献１】特開平７−１４３８３２号（２頁０００４、図１）
【考案の概要】
【考案が解決しようとする課題】
【０００６】
オニヤンマを自宅や学校等の屋内で飼育し羽化させる方法を検討するために、ヤゴから成虫のトンボへ成長する過程を観察及び研究した結果、オニヤンマのヤゴが羽化する際に特殊な行動をとる事が判明した。一般的にオニヤンマの場合、羽化のために水中から陸上へ上がってきた場合、直ぐに木や植物などに登らず徘徊することが知られているが、徘徊時にどのような行動をとるのかまでは知られていなかった。
【０００７】
本考案者は、オニヤンマの羽化に必要な環境を解明するため、水槽内の構造について様々な実験を繰り返した結果、ある一定の条件を満たすことで、ヤゴが高い確率で羽化することが解明できた。更に、この条件で繰り返し飼育による羽化実験を行ったところ、ほぼ全数のヤゴの羽化に成功した。
本考案は、オニヤンマのヤゴが高い確率で羽化するための、羽化用水槽を提供することを課題とする。
【課題を解決するための手段】
【０００８】
研究及び実験の結果、オニヤンマのヤゴは羽化する際に、水中から陸上へ上った後、一度砂の中に潜り込み、そのまま平均して３〜４日程度砂の中に留まることが、共通の習性であることが判明した。その後羽化直前に砂から出て木の枝や植物に登り、やがて羽化が始まる。このことから、水槽内の必須の条件としては、木の枝等の棒だけでなく、ヤゴが潜り込むことの出来る陸地のあることが必須の条件であり、その陸地は砂で構成されていることが望ましい。図４はヤゴの羽化に到る行動を示した斜視図である。
【０００９】
水槽内に陸地を形成する方法として単純な方法は、水槽内に砂を入れ陸地を形成することであるが、ヤゴが潜り込むために必要な深さを設けるには、砂だけでは困難である。それは重力と水槽内に入れる水により、陸地がうまく形成できないためである。
【００１０】
水槽内に陸地を形成する手段として、水槽内に水槽の略中心部に網目状の板を立てて設置し、水槽を分割するように仕切り壁を形成し、一方の水槽内には、網目状の板の高さと同じ高さになるように砂を入れ、砂を入れた上面の中心部に木の枝等の棒を立てる。網目状の板で仕切られたもう一方の水槽内には、網目状の板で形成した仕切り壁から、緩やかな傾斜を形成するように砂を入れ、水槽内に水を入れる構造をもつ羽化用の水槽であって、網目状の板を仕切り壁として利用し、陸地を形成することを主要な特徴とする。
【考案の効果】
【００１１】
本考案の羽化用水槽により、ほぼ確実にオニヤンマのヤゴが羽化することができ、オニヤンマの習性を目の前で再現することが可能であり、学校教育の資料や教材として活用することも可能である。
【００１２】
また、自然塾のような体験型教育の中で、実際の生き物がどのように成長し、自然社会の中でどのような役割を果たしているのか等、あらたな資料、教材としての活用が可能となる。
【図面の簡単な説明】
【００１３】
【図１】本考案の一例の斜視図
【図２】本発明の一例の側面図
【図３】本発明の一例の平面図
【図４】ヤゴの羽化に到る行動を示した斜視図
【図５】本考案の実施例２の平面図
【図６】本考案の実施例３の平面図
【図７】従来の羽化用水槽
【考案を実施するための形態】
【実施例１】
【００１４】
本発明の詳細について、図面を引用して説明する。
図１は本考案の一例の斜視図、図２は本発明の一例の側面図、図３は本発明の一例の平面図である。
【００１５】
本考案の羽化用水槽の構成は、水槽１内部の略中心部に網目状の板４を立てて設置し、水槽内を分割するように仕切り、一方の水槽内には、網目状の板４の高さと同じ高さとなるように砂２を入れ、砂を入れた上面の中心部に木の枝５を立てる。これが羽化用の陸地となる。網目状の板４で仕切ったもう一方の水槽内には、網目状の板４側から緩やかな傾斜を形成するように水面より低い高さに砂２を入れ、水槽内に水３を入れる。前記砂２は緩やかな傾斜を形成せず、フラットにしてもよい。網目状の板４は倒れないように、水槽内にフック等で固定してもよい。
【００１６】
網目状の板４により、水中または水面から壁を形成するように陸地を構成できればよい。網目状の板４は平板状で、網目の大きさは砂が通過しない程度で、巾は水槽の内寸程度、高さは水槽の高さの３分の１程度が望ましい。厚さは砂の圧力に耐えられる程度で、１〜２ｍｍくらいの樹脂製が望ましい。
【００１７】
羽化前のヤゴは、水中から羽化のために網目状の板４を上り陸地へ到達し、その後一度砂の中へ潜り込む。平均して３〜４日くらい砂の中に留まり、羽化直前に砂の中からでて、木の枝５に登りやがて羽化が始まる。図４はヤゴの羽化に到る行動を示した斜視図である。
【実施例２】
【００１８】
網目状の板４は平板形状だけでなく、緩やかに撓みを設けてもよい。真っ直ぐな板よりやや風情のある水槽に仕上げることができる。図５は本考案の実施例２の平面図である。
【実施例３】
【００１９】
網目状の板４は、円筒状に形成してもよい。ヤゴが陸地に上がる際どの方向からも上がることが可能となる。図６は本考案の実施例３の平面図である。
【産業上の利用可能性】
【００２０】
本考案の羽化用の水槽は、飼育用として工業生産が可能である。また、学校教育の資料や教材として活用することも可能である。
【符号の説明】
【００２１】
１  水槽
２  砂
３  水
４  網目状の板
５  木の枝
６  オニヤンマ
７  ヤゴ
【図１】
0003159975.tif 000003
【図２】
0003159975.tif 000004
【図３】
0003159975.tif 000005
【図４】
0003159975.tif 000006
【図５】
0003159975.tif 000007
【図６】
0003159975.tif 000008
【図７】
0003159975.tif 000009
【手続補正書】
【提出日】平成22年3月15日(2010.3.15)
【手続補正１】
【補正対象書類名】実用新案登録請求の範囲
【補正対象項目名】全文
【補正方法】変更
【補正の内容】
【実用新案登録請求の範囲】
【請求項１】
水槽内の略中心部に網目状の板を立てて設置し、仕切られた一方の水槽内に、網目状の板の高さと同じ高さとなるように砂を入れ、砂を入れた上面の中心部に木の枝を立て、網目状の板で仕切ったもう一方の水槽内に、水面より低い高さに砂を入れ、水槽内に水を入れたことを特徴とするオニヤンマの羽化用水槽。